(57)【特許請求の範囲】
【請求項１】
ネットワークを経由して、特定のカラオケ装置と、このカラオケ装置を操作する特定のリモコン端末装置として動作する利用者の多機能携帯端末とを、対応付けて接続して使用するネットワークカラオケシステムにおいて、
多機能携帯端末とカラオケ装置とはアクセスポイントを介したネットワークで接続され、多機能携帯端末がアクセスポイントに接続されるとカラオケ装置との通信が可能になり、カラオケ装置は表示画面に情報を複数回にわたって表示し、多機能携帯端末は上記情報に対応した入力を複数回にわたって利用者から受け付け、カラオケ装置は上記複数回の入力が正常なものである場合、多機能携帯端末を認証して当該カラオケ装置のリモコン端末とすることを特徴とするネットワークカラオケシステム。
【発明の詳細な説明】
【技術分野】
【０００１】
本発明は、利用者の多機能携帯端末をリモコンとして使用するカラオケシステムにおいて、多機能携帯端末とカラオケ装置との接続を速やかに行う技術に関する。
【背景技術】
【０００２】
最近のカラオケシステムは、高機能化が著しく、便利になって来ている反面、操作が複雑になってきており、これに伴いリモコンも高機能化してきている。
特にカラオケルームに設置してある専用のリモコンは、ボタン類が多く使い方がよくわからないなどの問題があった。そのため、使い慣れていないとボタン操作に時間がかかって歌う時間が少なくなってしまうことも多かった。
【０００３】
一方で、誰もが携帯電話を持つ時代となり、さらにスマートフォン等の普及により、これら携帯電話に各種ソフトウエアを入れて楽しむ人も増えている。スマートフォンのソフトウエア開発環境も充実してきており、開発者も増えてきている。
【０００４】
そこで、使い慣れた自分の多機能携帯端末等を使ってカラオケの操作を行いたいという要望が生じてきた。またカラオケの専用リモコンは業務用のため高価なものであり、カラオケ店としても、専用リモコンを設置する必要がなくなれば経費の節約になり、またリモコンの盗難防止、保守といった管理作業もなくなるため店にも喜ばれる。
【０００５】
上記のような対応を行った既存のカラオケ装置は、例えばカラオケ室の表示装置にそのカラオケ装置固有の識別情報（二次元コードなど）が表示され、これを多機能携帯端末で撮影することで、そのカラオケ装置固有の識別情報を読み取り、その多機能携帯端末とカラオケ装置を「ペアリング」することにより当該カラオケ装置のリモコンとして使用できるようになるというもの等がある。
【０００６】
しかし、上記の手順は利用者にとっては歌唱前の余計な手間であり、面倒に感じられた結果、多機能携帯端末を所持しているにもかかわらず、店の専用リモコンを使うことになってしまう恐れがある。
【０００７】
また、上記のような店側の事情からなるべく利用者の多機能携帯端末を使ってほしいという本音があり何らかの対策が必要となる。
【先行技術文献】
【特許文献】
【０００８】
【特許文献１】特開2014-130300号公報
【特許文献２】特開2005-184039号公報
【特許文献３】特開2015-8454号公報
【発明の概要】
【発明が解決しようとする課題】
【０００９】
特許文献１は、カラオケ装置のリモコンとして利用者の多機能携帯端末等を利用する、カラオケネットワークシステムを提供する。利用者のカラオケ利用単位として「セッション」を定義し、カラオケ利用開始時にセッションＩＤを通知し、終了時にこれを無効化する手段を設ける。利用者のカラオケ利用開始時にセッションＩＤを含むカラオケ識別情報を利用者の多機能携帯端末等に伝達し、その多機能携帯端末等とカラオケ室にあるカラオケ装置とのペアリングを行うことにより、利用者の多機能携帯端末等がセッション終了までの間、その特定のカラオケ装置のみと通信できるリモコン装置となる。
【００１０】
特許文献２は、アクセスポイント、サービス端末、リモコンからなり、リモコンは、赤外線信号にリモコンのＩＰアドレスを載せて、サービス端末であるカラオケ端末に送る。カラオケ端末は、この赤外線信号から取り出したＩＰアドレスを用いて、ＬＡＮおよび無線アクセスポイントを介したリモコンとの通信を行うというものである。
【００１１】
特許文献３は、親装置と子装置との間の無線通信におけるペアリングを簡便にするために、リモコン装置を用い、当該リモコン装置より１回目のプッシュボタン押下により認証鍵１を含むペアリング命令を赤外線リモコン信号で子装置に送信する。子装置は受信した認証鍵１に基づいて生成した認証鍵２を無線ＬＡＮで親装置に送信する。リモコン装置は２回目のプッシュボタン押下により認証鍵３を含むペアリング命令を赤外線リモコン信号で親装置に送信する。親装置は無線ＬＡＮで受信した認証鍵２と赤外線リモコン信号で受信した認証鍵３を比較し一致すればペアリング承認を無線ＬＡＮで子装置に送信する。子装置はペアリング承認を受信してペアリングを確立するというものである。
【００１２】
特許文献１は本発明の発明者が先に出願したもので、この出願の実施例によると、利用者はカラオケ装置のモニタ画面に表示されたＱＲコード（登録商標）をカメラで撮影してＷＥＰキーやカラオケ識別情報を入手して、カラオケ装置との間でＷｉｆｉ（登録商標）接続するというものである。しかし上記のようなＱＲコード（登録商標）を内蔵カメラで撮影するという方法は便利ではあるものの、一刻も早く歌い始めたいという利用者にとってまだ不満であり、できれば撮影等を省略して接続できればもっと使いやすくなる。
【００１３】
特許文献２は、リモコンのＩＰアドレスを赤外線でカラオケ装置に伝えることによってリモコンとカラオケ装置の通信を実現しているが、リモコンとアクセスポイントとの接続に関し認証する仕組みは記述されていない。リモコンがＩＰアドレスを持っていることから、リモコンとアクセスポイントはすでに接続済みであるという前提である。
【００１４】
特許文献３は、カラオケ装置を対象としたものではないが、親装置と子装置の他に赤外線リモコンをもち、鍵発生アルゴリズムと入力された認証鍵から他の鍵を発生させる鍵連鎖のアルゴリズムをリモコンと親装置の双方に持つ必要があり、既存の機能の応用では実現できない。
【課題を解決するための手段】
【００１５】
上記課題を解決するために、本発明の請求項１は、
ネットワークを経由して、特定のカラオケ装置と、このカラオケ装置を操作する特定のリモコン端末装置として動作する利用者の多機能携帯端末とを、対応付けて（ペアリング）接続して使用するネットワークカラオケシステムにおいて、
多機能携帯端末とカラオケ装置とはアクセスポイントを介したネットワークで接続され、多機能携帯端末がアクセスポイントに接続されるとカラオケ装置との通信が可能になり、カラオケ装置は表示画面に情報を複数回にわたって表示し、多機能携帯端末は上記情報に対応した入力を複数回にわたって利用者から受け付け、カラオケ装置は上記複数回の入力が正常なものである場合、多機能携帯端末を認証して当該カラオケ装置のリモコン端末とすることを特徴とするネットワークカラオケシステムである。
【図面の簡単な説明】
【００１６】
【図１】本発明の実施例に係るネットワーク接続図。
【図２】従来技術による簡単接続に係るシーケンス図。
【図３】本発明の実施例に係るシーケンス図。
【発明を実施するための形態】
【００１７】
本発明のネットワーク接続イメージが図１である。利用者のスマートフォン３は、ＡＰ１（アクセスポイント）を検出すると、接続確認のダイヤログメッセージを出し確認されると、ＡＰ１経由でカラオケ装置２との接続が可能となる。
従来技術でもっとも簡単なケースは図２の例である。図２において、カラオケ店のＡＰ１は、認証を必要としない公開されたアクセスポイントのため、特定のアクセスポイント名を発見した場合、ユーザに対し確認のダイアログを出した後、そのまま接続する。
【００１８】
この構成の欠点は、無線ＬＡＮの接続範囲が広い為に、入室したカラオケ利用者以外の誰もが繋がってしまうことである。このため、ＡＰ１と繋がった後、カラオケ装置にログインする手順が必要となる。図２の例ではカラオケ装置２とスマートフォン３との間に何らかの認証が必要になる。
【００１９】
この点を改善したのが図３の実施例である。図３において図２と同様、利用者のスマートフォン３はBeaconによりＡＰ１（アクセスポイント）を検出すると、ＤＨＣＰサーバ４にＩＰアドレスの発行を要求する。（DHCP Discovery）ここでＤＨＣＰサーバ４はＩＰアドレスをスマートフォン３に送り(DHCP Offer)ＡＰ１経由でカラオケ装置２との接続が可能となる。これにより、当該スマートフォン３がカラオケ装置２と通信できるようになる。
その後、カラオケ装置２のモニタ画面に表示された「文字」の入力を促す。これを見た利用者は表示された「文字」を利用者がスマートフォン３に入力し、これがカラオケ装置２で認証されると別の「文字」の入力を促す。これを複数回繰り返して認証が成功すると、正式にネットワークに参加できる。
本実施例では、数字を例としたが、スマートフォンにメニューを指定することで、色指定や画像指定など様々な入力パターンが考えられる。
【００２０】
これにより、カラオケ利用者はカラオケ開始の際、簡単な操作で、スマートフォンをカラオケ装置のリモコンとして使用できるようになる。
【符号の説明】
【００２１】
１・・・ＡＰ（アクセスポイント）
２・・・カラオケ装置
３・・・スマートフォン
４・・・ＤＨＣＰサーバ
【図１】
0006558919.tif 000002
【図２】
0006558919.tif 000003
【図３】
0006558919.tif 000004